(57)【要約】【課題】作業効率を向上させることができるコンペンシーブ清掃装置を得る。【解決手段】コンペンシーブ１２と、コンペンシーブ１２を回転可能に保持する保持部材１３と、ピット１４に立てられ、保持部材１３を案内する一対のガイドレール１５とを備えたコンペンシーブ装置１におけるコンペンシーブ１２を清掃する際に用いられるコンペンシーブ清掃装置２であって、一対のガイドレール１５のそれぞれに立てられる一対の柱部材３１と、一対の柱部材３１に渡って設けられ、コンペンシーブ１２よりも上方に配置される梁部材３２とを有するやぐら３と、梁部材３２に支持され、コンペンシーブ１２を揚重する揚重装置４とを備えている。【選択図】図４
2018184252.tif 000002
【特許請求の範囲】
【請求項１】
コンペンシーブと、前記コンペンシーブを回転可能に保持する保持部材と、ピットに立てられ、前記保持部材を案内する一対のガイドレールとを備えたコンペンシーブ装置における前記コンペンシーブを清掃する際に用いられるコンペンシーブ清掃装置であって、
一対の前記ガイドレールのそれぞれに立てられる一対の柱部材と、一対の前記柱部材に渡って設けられ、前記コンペンシーブよりも上方に配置される梁部材とを有するやぐらと、
前記梁部材に支持され、前記コンペンシーブを揚重する揚重装置と
を備えたコンペンシーブ清掃装置。
【請求項２】
前記コンペンシーブよりも上方であって前記コンペンシーブよりも軸方向外側に設けられた爪部をさらに備え、
前記コンペンシーブが前記揚重装置によって持ち上げられた場合に、前記コンペンシーブに巻き掛けられたコンペンロープにおける前記コンペンシーブよりも上方の部分が前記爪部に引っ掛けられる請求項１に記載のコンペンシーブ清掃装置。
【請求項３】
前記コンペンシーブに形成されたシーブ溝における上側部分を清掃する清掃装置をさらに備えた請求項１または請求項２に記載のコンペンシーブ清掃装置。
【請求項４】
前記清掃装置は、前記シーブ溝における上側部分に接触した状態で回転する清掃装置本体を有している請求項３に記載のコンペンシーブ清掃装置。
【請求項５】
前記清掃装置は、回転することによって前記清掃装置本体を回転させる手巻きハンドルをさらに有している請求項４に記載のコンペンシーブ清掃装置。
【請求項６】
前記清掃装置は、前記清掃装置本体の回転力を前記コンペンシーブに伝達する回転伝達装置をさらに有している請求項４または請求項５に記載のコンペンシーブ清掃装置。
【請求項７】
前記清掃装置は、前記シーブ溝に付着した固化油を液化させる清掃液を前記清掃装置本体に供給する清掃液供給装置をさらに有している請求項４から請求項６までの何れか一項に記載のコンペンシーブ清掃装置。
【請求項８】
前記清掃装置は、前記シーブ溝に付着した固化油を加熱して液化させる加熱装置をさらに有している請求項３から請求項７までの何れか一項に記載のコンペンシーブ清掃装置。
【発明の詳細な説明】
【技術分野】
【０００１】
この発明は、コンペンシーブを清掃する際に用いられるコンペンシーブ清掃装置に関する。
【背景技術】
【０００２】
従来、かごとつり合いおもりとに接続されるコンペンロープと、コンペンロープが巻き掛けられるコンペンシーブと、コンペンシーブを回転可能に保持する保持部材と、ピットに立てられ、保持部材を高さ方向に案内する一対のガイドレールとを備えたコンペンシーブ装置が知られている（例えば、特許文献１参照）。
【先行技術文献】
【特許文献】
【０００３】
【特許文献１】特開２００６−３２７７５７号公報
【発明の概要】
【発明が解決しようとする課題】
【０００４】
しかしながら、エレベーターが長期間に渡って運転された場合に、コンペンシーブのシーブ溝には固化油が堆積するので、シーブ溝を定期的に清掃する必要がある。シーブ溝を清掃する場合には、シーブ溝には下方からコンペンロープが巻き掛けられているので、シーブ溝における上側部分を清掃する作業者と、かごを移動させてコンペンシーブを回転させる作業者とが必要となり、作業効率が悪いという問題点があった。
【０００５】
この発明は、上述のような課題を解決するためになされたものであり、その目的は、作業効率を向上させることができるコンペンシーブ清掃装置を提供するものである。
【課題を解決するための手段】
【０００６】
この発明に係るコンペンシーブ清掃装置は、コンペンシーブと、コンペンシーブを回転可能に保持する保持部材と、ピットに立てられ、保持部材を案内する一対のガイドレールとを備えたコンペンシーブ装置におけるコンペンシーブを清掃する際に用いられるコンペンシーブ清掃装置であって、一対のガイドレールのそれぞれに立てられる一対の柱部材と、一対の柱部材に渡って設けられ、コンペンシーブよりも上方に配置される梁部材とを有するやぐらと、梁部材に支持され、コンペンシーブを揚重する揚重装置とを備えている。
【発明の効果】
【０００７】
この発明に係るコンペンシーブ清掃装置によれば、コンペンシーブが持ち上げられるので、シーブ溝を清掃する作業者が、コンペンシーブを容易に回転させることができる。これにより、かごを移動させる作業者が不要となるので、コンペンシーブを清掃する作業効率を向上させることができる。
【図面の簡単な説明】
【０００８】
【図１】この発明の実施の形態１に係るコンペンシーブ清掃装置を用いて清掃されるコンペンシーブ装置を示す正面図である。
【図２】図１のコンペンシーブ装置を示す側面図である。
【図３】図１のコンペンシーブ清掃装置を示す平面図である。
【図４】図１のコンペンシーブ装置に取り付けられたコンペンシーブ清掃装置を示す正面図である。
【図５】図４のコンペンシーブ清掃装置を示す側面図である。
【図６】図４のやぐらおよび爪部を示す分解斜視図である。
【図７】図４のコンペンシーブ清掃装置の要部を示す拡大図である。
【図８】図７の清掃装置を示す拡大図である。
【図９】図８の清掃装置本体を示す拡大図である。
【図１０】図８の清掃装置本体の変形例を示す拡大図である。
【図１１】図７のコンペンシーブ清掃装置を示す側面図である。
【図１２】図１１の軸部および清掃装置本体を示す平面図である。
【発明を実施するための形態】
【０００９】
実施の形態１．
図１はこの発明の実施の形態１に係るコンペンシーブ清掃装置を用いて清掃されるコンペンシーブ装置を示す正面図、図２は図１のコンペンシーブ装置を示す側面図、図３は図１のコンペンシーブ清掃装置を示す平面図である。コンペンシーブ装置１は、複数本のコンペンロープ１１と、コンペンロープ１１が下方から巻き掛けられる円柱形状のコンペンシーブ１２と、コンペンシーブ１２を回転可能に保持する保持部材１３と、ピット１４に立てられ、保持部材１３を高さ方向に案内する一対のガイドレール１５とを備えている。
【００１０】
この例では、６本のコンペンロープ１１がコンペンシーブ１２に巻き掛けられている。コンペンシーブ１２の外周面には、コンペンロープ１１が挿入される６個のシーブ溝１２１が形成されている。エレベーターが長期間に渡って使用された場合に、シーブ溝１２１には、コンペンロープ１１からシーブ溝１２１に移動した油が固化する。つまり、シーブ溝１２１には、固化油が付着する。コンペンシーブ１２の中心軸１２２は、回転可能に保持部材１３に支持されている。
【００１１】
保持部材１３は、コンペンシーブ１２を回転可能の保持する箱形状の保持部材本体１３１と、保持部材本体１３１の幅方向両端部に設けられ、ガイドレール１５に案内される一対のガイドシュー１３２とを有している。保持部材本体１３１の幅方向とは、一対のガイドレール１５が対向する方向と同一の方向であり、また、コンペンシーブ１２の軸方向と同一の方向である。コンペンロープ１１に伸縮が発生した場合に、ガイドシュー１３２がガイドレール１５に案内されることによって、保持部材本体１３１が高さ方向に移動する。
【００１２】
ガイドレール１５は、断面Ｔ字形状に形成されている。ガイドレール１５は、レール基部１５１と、レール基部１５１に一体に設けられ、ガイドシュー１３２の溝部に挿入されるレール本体部１５２とを有している。
【００１３】
図４は図１のコンペンシーブ装置１に取り付けられたコンペンシーブ清掃装置を示す正面図、図５は図４のコンペンシーブ清掃装置を示す側面図である。コンペンシーブ清掃装置２は、一対のガイドレール１５に設けられるやぐら３と、やぐら３に支持された揚重装置４と、コンペンシーブ１２よりも上方であってコンペンシーブ１２よりも軸方向外側に設けられた一対の爪部５とを備えている。なお、図５では、揚重装置４を示していない。
【００１４】
やぐら３は、一対のガイドレール１５のそれぞれに立てられる一対の柱部材３１と、一対の柱部材３１に渡って設けられ、コンペンシーブ１２よりも上方に配置される梁部材３２とを有している。揚重装置４は、やぐら３の梁部材３２から吊り下げられている。揚重装置４は、梁部材３２に支持された状態で、保持部材１３を介してコンペンシーブ１２を揚重する。なお、梁部材３２は、長手方向の寸法が調整可能な構成であってもよい。また、梁部材３２は、長手方向の寸法が調整可能な構成であってもよい。
【００１５】
図６は図４のやぐら３および爪部５を示す分解斜視図である。柱部材３１の下端部には、ガイドレール１５におけるレール本体部１５２の上端部が挿入される溝３１１と、柱部材３１をガイドレール１５に固定するための図示しないピンが挿入される孔３１２とが形成されている。溝３１１にレール本体部１５２の上端部が挿入された状態で孔３１２にピンが挿入されることによって、柱部材３１がガイドレール１５に固定される。なお、ガイドレール１５と柱部材３１との間の固定は、ピンを用いた方法に限らず、例えば、ボルトを用いた方法、万力を用いた方法など、その他の方法で行ってもよい。
【００１６】
柱部材３１の上端部には、梁部材３２が挿入される溝３１３と、梁部材３２を柱部材３１に固定するための図示しないピンが挿入される孔３１４とが形成されている。梁部材３２が溝３１３に挿入された状態で孔３１４にピンが挿入されることによって、梁部材３２が柱部材３１に固定される。なお、梁部材３２と柱部材３１との間の固定は、ピンを用いた方法に限らず、例えば、ボルトを用いた方法、万力を用いた方法など、その他の方法で行ってもよい。
【００１７】
柱部材３１の高さ方向中間部には、爪部５が挿入される孔３１５が形成されている。この例では、１つの柱部材３１に１つの孔３１５が形成されている構成について説明するが、孔３１５は、高さ方向に離れた複数個所に形成されてもよい。この場合、爪部５の高さ方向の位置を調整することができる。
【００１８】
梁部材３２は、断面Ｔ字形状に形成されている。梁部材３２は、一対の柱部材３１に渡って設けられた平板形状の梁部材本体３２１と、梁部材本体３２１に一体に形成され、溝３１３に挿入される突出部３２２とを有している。梁部材本体３２１は、水平面に対して平行になるように配置されている。突出部３２２は、梁部材本体３２１の下面から下方に延びるように形成されている。
【００１９】
突出部３２２の長手方向両端部には、梁部材３２を柱部材３１に固定するための図示しないピンが挿入される複数の孔３２３が形成されている。複数の孔３２３は、突出部３２２の長手方向に並べて配置されている。これにより、一対のガイドレール１５の間の寸法が異なる複数種類のコンペンシーブ装置１に対して、同一のやぐら３を設置することができる。
【００２０】
梁部材３２の長手方向中間部には、揚重装置４が取り付けられる孔３２４が形成されている。
【００２１】
爪部５は、柱部材３１の孔３１５に挿入されるボルト部５１と、ボルト部５１の一端部に固定されたＬ字形状の爪本体５２と、ボルト部５１に取り付けられるナット部５３とを有している。図６では、一方の柱部材３１に取り付けられる爪部５が示されているが、他方の柱部材３１にも爪部５が取り付けられる。
【００２２】
ボルト部５１が孔３１５に挿入された状態でナット部５３がボルト部５１に取り付けられることによって、爪部５が柱部材３１に固定される。爪部５は、爪本体５２が柱部材３１よりもコンペンシーブ１２の軸方向について内側に配置されるように柱部材３１に取り付けられる。なお、爪部５と柱部材３１との間の固定は、ボルト部５１およびナット部５３を用いた方法に限らず、その他の方法であってもよい。また、この例では、爪部５が柱部材３１に固定される構成について説明するが、爪部５が梁部材３２に固定される構成であってもよい。
【００２３】
図４に示すように、揚重装置４は、孔３２４に引っ掛けられるフック部４１と、フック部４１に支持される揚重装置本体４２と、揚重装置本体４２の伸縮部に引っ掛けられ、保持部材１３の天面に取り付けられるロープ４３とを有している。ロープ４３は、保持部材１３の天面に対して滑りが生じない部材から構成されている。
【００２４】
図７は図４のコンペンシーブ清掃装置２の要部を示す拡大図である。コンペンシーブ清掃装置２は、コンペンシーブ１２に形成されたシーブ溝１２１における上側部分を清掃する清掃装置６をさらに備えている。清掃装置６は、保持部材１３に取り付けられている。なお、清掃装置６は、やぐら３に取り付けられてもよい。
【００２５】
清掃装置６は、シーブ溝１２１における上側部分に接触した状態で回転する清掃装置本体６１と、回転することによって清掃装置本体６１を回転させる手巻きハンドル６２と、清掃装置本体６１の回転力をコンペンシーブ１２の中心軸１２２に伝達する回転伝達装置６３とを有している。
【００２６】
この例では、清掃装置６が手巻きハンドル６２を有する構成について説明するが、清掃装置６がモータを有し、モータの回転力を用いて清掃装置本体６１を回転させる構成であってもよい。
【００２７】
図８は図７の清掃装置本体６１を示す拡大図である。清掃装置本体６１は、コンペンシーブ１２の中心軸１２２と平行して設けられた中心軸６１１と、中心軸６１１に固定された複数の円柱形状のブラシ部６１２とを有している。ブラシ部６１２の数は、シーブ溝１２１の数と一致している。この例では、ブラシ部６１２の数は、６個となっている。ブラシ部６１２は、中心軸６１１の軸方向に並べて配置されている。複数のブラシ部６１２は、シーブ溝１２１に対応して配置されている。それぞれのブラシ部６１２の外周部は、対応するシーブ溝１２１に挿入されている。
【００２８】
図７に示すように、回転伝達装置６３は、清掃装置本体６１の中心軸６１１とコンペンシーブ１２の中心軸１２２とに渡って巻き掛けられた無端形状のベルトから構成されている。
【００２９】
図９は図７の清掃装置６を示す拡大図である。作業者によって手巻きハンドル６２が回転すると、手巻きハンドル６２の回転力が清掃装置本体６１に伝達される。これにより、清掃装置本体６１が回転し、シーブ溝１２１における上側部分が清掃される。また、清掃装置本体６１が回転すると、清掃装置本体６１の回転力がコンペンシーブ１２に伝達される。これにより、コンペンシーブ１２が回転する。その結果、シーブ溝１２１が全周囲にわたって清掃される。
【００３０】
図１０は図８の清掃装置本体６１の変形例を示す拡大図である。この例では、清掃装置本体６１が、複数の円柱形状のブラシ部６１２を有する構成について説明したが、清掃装置本体６１が複数の円柱形状のスポンジ部６１３を有する構成であってもよい。また、清掃装置本体６１は、シーブ溝１２１に付着する異物に応じて、複数のタイプの清掃装置本体６１が交換される構成であってもよい。複数のタイプの清掃装置本体６１としては、例えば、硬質のブラシ、軟質のブラシ、スクレーパなどが挙げられる。
【００３１】
図１１は図７のコンペンシーブ清掃装置２を示す側面図である。清掃装置６は、シーブ溝１２１に付着した固化油を液化させる清掃液を清掃装置本体６１に供給する清掃液供給装置６４をさらに有している。清掃液としては、コンペンロープ１１に供給される潤滑油と同じものが挙げられる。なお、清掃液としては、その他の液が用いられてもよい。
【００３２】
清掃液供給装置６４は、保持部材本体１３１に取り付けられている。なお、清掃液供給装置６４は、保持部材本体１３１に限らず、やぐら３に取り付けられてもよい。清掃液供給装置６４は、清掃装置本体６１の中心軸６１１よりも上方に設けられ、清掃液が貯留されるタンク６４１と、一端部にタンク６４１が取り付けられ、タンク６４１を支持する軸部６４２と、保持部材本体１３１に設けられ、軸部６４２の他端部を回動可能に支持する中心軸６４３とを有している。軸部６４２が中心軸６４３を中心に回動することによって、清掃装置本体６１とタンク６４１との間の高さ方向の寸法が変化する。
【００３３】
図１２は図１１の軸部６４２および清掃装置本体６１を示す平面図である。軸部６４２には、タンク６４１から清掃装置本体６１に清掃液が流れる流路６４４が形成されている。軸部６４２の回動角度、つまり、清掃装置本体６１とタンク６４１との間の高さ方向の寸法に応じて、タンク６４１から清掃装置本体６１に供給される清掃液の単位時間当たりの量が調整される。
【００３４】
次に、コンペンシーブ清掃装置２を用いてコンペンシーブ１２のシーブ溝１２１を清掃する手順について説明する。まず、一対のガイドレール１５にやぐら３を設置する。ガイドレール１５にやぐら３を設置する際には、一対のガイドレール１５の寸法に合わせて、梁部材３２における柱部材３１が取り付けられる部分の位置を調整する。
【００３５】
その後、梁部材３２に揚重装置４を設置し、揚重装置４を駆動させることによって、コンペンシーブ１２を持ち上げる。コンペンシーブ１２を持ち上げる寸法は、コンペンシーブ１２とコンペンロープ１１との間の摩擦力がなくなる程度あり、例えば、１０ｃｍ〜３０ｃｍ程度である。
【００３６】
その後、６本のコンペンロープ１１におけるコンペンシーブ１２よりも上方の部分を爪部５に引っ掛ける。これにより、清掃装置６をコンペンシーブ１２の上方に容易に設置することができる。
【００３７】
その後、清掃装置本体６１がシーブ溝１２１における上側部分に接触するように、清掃装置６を保持部材本体１３１に設置する。
【００３８】
その後、手巻きハンドル６２を回転させる。これにより、清掃装置本体６１が回転し、さらに、コンペンシーブ１２が回転する。その結果、コンペンシーブ１２のシーブ溝１２１の全周囲が清掃される。
【００３９】
以上説明したように、この発明の実施の形態１に係るコンペンシーブ清掃装置２によれば、一対のガイドレール１５のそれぞれに立てられる一対の柱部材３１と、一対の柱部材３１に渡って設けられ、コンペンシーブ１２よりも上方に配置される梁部材３２とを有するやぐら３と、梁部材３２に支持され、コンペンシーブ１２を揚重する揚重装置４とを備えているので、コンペンシーブ１２を持ち上げることができる。これにより、シーブ溝１２１を清掃する作業者が、コンペンシーブ１２を容易に回転させることができる。これにより、かごを移動させる作業者が不要となるので、コンペンシーブ１２を清掃する作業効率を向上させることができる。
【００４０】
また、コンペンシーブ清掃装置２は、コンペンシーブ１２よりも上方であってコンペンシーブ１２よりも軸方向外側に設けられた爪部５を備え、コンペンシーブ１２が揚重装置４によって持ち上げられた場合に、コンペンシーブ１２に巻き掛けられたコンペンロープ１１におけるコンペンシーブ１２よりも上方の部分が爪部５に引っ掛けられるので、コンペンシーブ１２における上側部分を容易に清掃することができる。
【００４１】
また、コンペンシーブ清掃装置２は、コンペンシーブ１２に形成されたシーブ溝１２１における上側部分を清掃する清掃装置６を備えているので、シーブ溝１２１における上側部分を容易に清掃することができる。
【００４２】
また、清掃装置６は、シーブ溝１２１における上側部分に接触した状態で回転する清掃装置本体６１を有しているので、清掃装置本体６１を回転させることによって、シーブ溝１２１における上側部分を容易に清掃することができる。
【００４３】
また、清掃装置６は、回転することによって清掃装置本体６１を回転させる手巻きハンドル６２を有しているので、簡単な構成で、清掃装置本体６１を回転させることができる。
【００４４】
また、清掃装置６は、清掃装置本体６１の回転力をコンペンシーブ１２に伝達する回転伝達装置６３を有しているので、簡単な構成で、清掃装置本体６１とコンペンシーブ１２とを連動して回転させることができる。
【００４５】
また、清掃装置６は、シーブ溝１２１に付着した固化油を液化させる清掃液を清掃装置本体６１に供給する清掃液供給装置６４を有しているので、シーブ溝１２１に付着した固化油を効率的に除去することができる。
【００４６】
なお、上記実施の形態１では、清掃液をシーブ溝１２１に供給しながら、清掃装置本体６１およびコンペンシーブ１２を回転させて、シーブ溝１２１に付着した固化油を液化させて除去する構成について説明したが、清掃装置６が、固化油を加熱して液化させる加熱装置をさらに有する構成であってもよい。この場合、加熱装置は、清掃装置本体の外周面に設けられるのが望ましい。
【符号の説明】
【００４７】
１  コンペンシーブ装置、２  コンペンシーブ清掃装置、３  やぐら、４  揚重装置、５  爪部、６  清掃装置、１１  コンペンロープ、１２  コンペンシーブ、１３  保持部材、１４  ピット、１５  ガイドレール、３１  柱部材、３２  梁部材、４１  フック部、４２  揚重装置本体、４３  ロープ、５１  ボルト部、５２  爪本体、５３  ナット部、６１  清掃装置本体、６２  手巻きハンドル、６３、回転伝達装置、６４  清掃液供給装置、１２１  シーブ溝、１２２  中心軸、１３１  保持部材本体、１３２  ガイドシュー、１５１  レール基部、１５２  レール本体部、３１１  溝、３１２  孔、３１３  溝、３１４  孔、３１５  孔、３２１  梁部材本体、３２２  突出部、３２３  孔、３２４  孔、６１１  中心軸、６１２  ブラシ部、６１３  スポンジ部、６４１  タンク、６４２  軸部、６４３  中心軸、６４４  流路。
【図１】
2018184252.tif 000003
【図２】
2018184252.tif 000004
【図３】
2018184252.tif 000005
【図４】
2018184252.tif 000006
【図５】
2018184252.tif 000007
【図６】
2018184252.tif 000008
【図７】
2018184252.tif 000009
【図８】
2018184252.tif 000010
【図９】
2018184252.tif 000011
【図１０】
2018184252.tif 000012
【図１１】
2018184252.tif 000013
【図１２】
2018184252.tif 000014